(57)【要約】【課題】コンパクト容器に加えられた衝撃が内容物に伝達しにくいコンパクト容器を提供すること。【解決手段】内容物が収容される保持体２と、前記保持体２が収容される収容凹部３Ａが形成された容器本体３と、を備え、前記保持体２の外面には、前記収容凹部３Ａを画成する内面に吸着する第１吸盤２３が突設されており、前記保持体２の外面と前記収容凹部３Ａの内面との間には、隙間が形成されている。【選択図】図２
2015123270.tif 000002
【特許請求の範囲】
【請求項１】
内容物が収容される保持体と、
前記保持体が収容される収容凹部が形成された容器本体と、
を備えるコンパクト容器であって、
前記保持体の外面には、前記収容凹部を画成する内面に吸着する第１吸盤が突設されており、
前記保持体の外面と前記収容凹部の内面との間には、隙間が形成されていることを特徴とするコンパクト容器。
【請求項２】
前記保持体が、内容物が充填される皿体と、前記皿体が収容されると共に外面に前記第１吸盤が突設された枠体と、を有し、
前記枠体の内面には、前記皿体の外面に吸着する第２吸盤が突設されていることを特徴とする請求項１に記載のコンパクト容器。
【請求項３】
前記保持体には、前記第１吸盤を有する吸盤体がインサート成形により一体化されていることを特徴とする請求項１または２に記載のコンパクト容器。
【発明の詳細な説明】
【技術分野】
【０００１】
本発明は、コンパクト容器に関するものである。
【背景技術】
【０００２】
この種のコンパクト容器としては、アイシャドウやアイライナ、ファンデーションなどの化粧料が収容される皿体と、皿体が収容される収容凹部が形成された容器本体と、皿体と容器本体との間に配設された衝撃緩衝部材と、を備えるものが提案されている（例えば、特許文献１参照）。
このようなコンパクト容器では、衝撃緩衝部材が容器本体から皿体に伝達する衝撃を分散させることによって、皿体内に収容されている化粧料が皿体から飛び出したり飛散したりすることを抑制している。
【先行技術文献】
【特許文献】
【０００３】
【特許文献１】特開２０１２−０７５５６５号公報
【発明の概要】
【発明が解決しようとする課題】
【０００４】
しかしながら、上記従来のコンパクト容器では、落下などによりコンパクト容器に対して衝撃が直接加わると、衝撃が分散されるものの、その衝撃が皿体に伝達されるので、皿体が容器本体から外れたり、例えばファンデーションなどのドライタイプの化粧料などの内容物にヒビが入って飛散したりすることがあるという問題がある。
【０００５】
本発明は、前述の課題に鑑みてなされたもので、コンパクト容器に加えられた衝撃が内容物に伝達しにくいコンパクト容器を提供することを目的とする。
【課題を解決するための手段】
【０００６】
本発明は、上記のような課題を解決するために以下のような手段を採用した。すなわち、本発明のコンパクト容器は、内容物が収容される保持体と、前記保持体が収容される収容凹部が形成された容器本体と、を備えるコンパクト容器であって、前記保持体の外面には、前記収容凹部を画成する内面に吸着する第１吸盤が突設されており、前記保持体の外面と前記収容凹部の内面との間には、隙間が形成されていることを特徴とする。
【０００７】
この発明では、保持体の外面と収容凹部の内面との間に第１吸盤が配設されており、第１吸盤が収容凹部の内面に吸着しているので、容器本体に衝撃が加わっても、この衝撃を第１吸盤で吸収できる。また、収容凹部の内面に吸着されている第１吸盤が保持体と容器本体との間の相対的な移動を抑制する。これにより、保持体に加わる衝撃を和らげることができ、内容物を保護できる。さらに、保持体の外面に第１吸盤が突設されていることによって保持体の外面と収容凹部の内面との間に隙間が形成されるので、容器本体から保持体に対して衝撃が直接伝達することを抑制する。これによっても、保持体に加わる衝撃を和らげることができる。
【０００８】
また、本発明のコンパクト容器では、前記保持体が、内容物が充填される皿体と、前記皿体が収容されると共に外面に前記第１吸盤が突設された枠体と、を有し、前記枠体の内面には、前記皿体の外面に吸着する第２吸盤が突設されてもよい。
この発明では、枠体に設けられた第２吸盤が皿体の外面に吸着しているので、上述と同様に、容器本体から枠体に伝わった衝撃を第２吸盤で吸収すると共に、皿体と枠体との間の相対的な移動が抑制される。これにより、皿体に加わる衝撃をさらに和らげることができ、内容物をより確実に保護できる。
【０００９】
また、本発明のコンパクト容器では、前記保持体には、前記第１吸盤を有する吸盤体がインサート成形により一体化されてもよい。
この発明では、保持体と吸盤体とを別材料で形成することにより、保持体の剛性を確保しつつ第１吸盤による吸着性能を維持できる。なお、第２吸盤が突設されている場合には、吸盤体が第２吸盤を有していてもよい。
【発明の効果】
【００１０】
この発明にかかるコンパクト容器によれば、第１吸盤が容器本体に加えられて保持体に伝達する衝撃を吸収すると共に、保持体と容器本体との間の相対移動を抑制するので、保持体に伝達される衝撃を緩和できる。また、第１吸盤を設けることによって保持体の外面と収容凹部の内面との間に間隙が形成されるので、容器本体から保持体に衝撃が直接伝達することを回避でき、保持体に伝達される衝撃をさらに緩和できる。
【図面の簡単な説明】
【００１１】
【図１】本発明の第１実施形態にかかるコンパクト容器を示す上面図である。
【図２】図１のコンパクト容器を示すＡ−Ａ矢視断面図である。
【図３】図２の枠体を示す下面図である。
【図４】図３のＢ−Ｂ矢視断面図である。
【図５】皿体の交換方法を示す断面図である。
【図６】本発明の第２実施形態にかかるコンパクト容器を示す断面図である。
【図７】図６の枠体を示す下面図である。
【図８】図７のＣ−Ｃ矢視断面図である。
【図９】本発明の第３実施形態にかかるコンパクト容器を示す断面図である。
【図１０】図９の枠体を示す下面図である。
【図１１】図９の保持体を示すＤ−Ｄ矢視断面図である。
【図１２】本発明の第４実施形態にかかるコンパクト容器を示す上面図である。
【図１３】図１２のＥ−Ｅ矢視断面図である。
【図１４】図１２の保持体を示す上面図である
【図１５】図１３の保持体を示すＦ−Ｆ矢視断面図である
【図１６】保持体の交換方法を示す断面図である。
【発明を実施するための形態】
【００１２】
以下、本発明によるコンパクト容器の第１実施形態を、図面に基づいて説明する。なお、以下の説明に用いる各図面では、各部材を認識可能な大きさとするために縮尺を適宜変更している。
【００１３】
本実施形態におけるコンパクト容器１は、図１及び図２に示すように、例えば化粧料などの内容物を収容する携帯用の蓋付容器であり、平面視で矩形状の扁平容器である。このコンパクト容器１は、内容物が収容される保持体２と、保持体２が収容される収容凹部３Ａが形成された容器本体３と、ヒンジ部４により容器本体３に対して回動可能に連結され、容器本体３を開閉する蓋体５と、を備え、ヒンジ部４の反対側の縁部には、蓋体５の容器本体３に対する閉状態を維持する係合部６が設けられている。
ここで、本実施形態では、蓋体５側を上側とし、容器本体３側を下側とする。また、上下方向に直交する方向においてヒンジ部４側を後方とし、その反対方向を前側とする。さらに、上下方向及び前後方向双方に直交する方向を左右方向とする。
【００１４】
保持体２は、内容物が収容される皿体１１と、皿体１１が収容される枠体１２と、を有する。
皿体１１は、上面視で矩形状をなす扁平の皿状をなしており、例えば金属で形成されている。そして、皿体１１は、上面視で矩形板状の底壁部１３と、底壁部１３の外周縁から上方に向けて延設され、上面視で矩形環状に形成された壁部である周壁部１４と、を有する。
【００１５】
枠体１２は、図１から図４に示すように、例えばニトリルゴム、ブチルゴム、熱可塑性エラストマまたはウレタンのような皿体１１及び容器本体３よりも軟らかい軟質材料で形成されており、上面視で矩形板状の底壁部２１と、底壁部２１の外周縁から上方に向けて延設された周壁部２２と、を有する。
【００１６】
底壁部２１には、底壁部２１を貫通する第１貫通孔２１Ａが形成されており、第１吸盤２３が下方に向けて突設されている。これら底壁部２１、周壁部２２及び第１吸盤２３は、一体的に形成されている。
第１吸盤２３は、上面視で円状をなしており、上面視で第１貫通孔２１Ａを回避した底壁部２１の中央部に設けられている。
周壁部２２は、上面視で矩形環状に形成された壁部であり、周壁部２２の上端には、前後左右方向の外方に向けて突出するフランジ部２２Ａが全周にわたって設けられている。
【００１７】
容器本体３は、図１及び図２に示すように、例えばアクリロニトリル−ブタジエン−スチレン共重合体樹脂（ＡＢＳ樹脂）などの合成樹脂材料で形成されており、上面視で矩形板状の底壁部３１と、底壁部３１の外周縁から上方に向けて延設された周壁部３２と、を有する。これら底壁部３１及び周壁部３２は、上方に開口する収容凹部３Ａを画成する。
底壁部３１のうち上面視で第１貫通孔２１Ａと重なる位置には、底壁部３１を貫通する第２貫通孔３１Ａが形成されている。また、底壁部３１のうち中央部の上面には、第１吸盤２３が吸着されている。
【００１８】
周壁部３２は、上面視で矩形環状に形成された壁部であり、前側の前壁部３３と、左右方向の中間部にヒンジ部４を構成するヒンジ凹部３４Ａが形成された後側の後壁部３４と、左右両側の側壁部３５、３６と、を有する。前壁部３３の左右方向の中間部には、凹状の切欠部３３Ａが形成されており、この切欠部３３Ａの内側には、係合部６が配設されている。
【００１９】
蓋体５は、容器本体３と同様に合成樹脂材料で形成されており、上面視で矩形板状の天壁部４１と、天壁部４１の外周縁から下方に向けて延設された矩形環状の周壁部４２と、を有する。
天壁部４１は、蓋体５の閉状態において容器本体３の底壁部３１の上方で対向して配置されている。天壁部４１の前後両端部それぞれには、図２に示すように、周壁部４２の後述する左右の両側壁部４７、４８と共に天壁部４１に鏡体４３を接合する空間を画成する一対の鏡枠部４１Ａ、４１Ｂが左右方向の全長にわたって直線状に延設されている。
【００２０】
周壁部４２は、図１及び図２に示すように、上面視で矩形環状に形成された壁部であり、前側の前壁部４４と、ヒンジ部４を構成するヒンジ軸壁部４５が設けられた後側の後壁部４６と、左右両側の側壁部４７、４８と、を有する。
ヒンジ軸壁部４５は、ヒンジ凹部３４Ａの左右方向の内側に配設されており、ヒンジ軸壁部４５の左右方向の外端部とヒンジ凹部３４Ａとは、軸部４９を介して連結されている。これにより、容器本体３に対して蓋体５を回動可能に支持するヒンジ部４が構成される。
【００２１】
係合部６は、コンパクト容器１における前端部の左右方向中央部において、切欠部３３Ａの内側に配設されており、図２に示すように、容器本体３に設けられた第１フック５１と、蓋体５に設けられ、第１フック５１と係合可能な第２フック５２と、第１及び第２フック５１、５２の係合を解除するための操作部材５３と、を有する。
【００２２】
第１フック５１は、容器本体３の底壁部３１から上方に向けて立設されたガイド壁部５４を有する。ガイド壁部５４は、左右方向において容器本体３の切欠部３３Ａに対応する位置において、容器本体３の前壁部３３よりも後方に配置されており、ガイド壁部５４の前端面は、上方に向かうにしたがって後方に向けて傾斜する傾斜面５４Ａとされている。そして、ガイド壁部５４の上端部には、第１爪部５４Ｂが前方に向けて突設されている。また、ガイド壁部５４の下端部には、前後方向に沿って延在するガイド穴部５４Ｃが形成されている。
【００２３】
第２フック５２は、蓋体５の天壁部４１から下方に向けて延設された縦壁部５５を有する。縦壁部５５は、蓋体５の閉状態において、上面視で第１フック５１と重なる位置に配置されている。また、縦壁部５５の下端部には、蓋体５の閉状態において、容器本体３の切欠部３３Ａ内に挿通され、第１フック５１の第１爪部５４Ｂに係合可能な第２爪部５５Ａが後方に向けて突設されている。
【００２４】
操作部材５３は、切欠部３３Ａの内側において容器本体３に支持されている。そして、操作部材５３は、前後方向の位置が容器本体３の前壁部３３及び蓋体５の前壁部４４と同等の位置に配置された押圧壁部５６と、押圧壁部５６から後方に向けて突設された突起部５７と、押圧壁部５６の下端部に形成され、第１フック５１のガイド穴部５４Ｃ内に挿入されたベース部５８と、を有する。
【００２５】
次に、以上のような構成のコンパクト容器１の動作につい説明する。まず、係合部６の押圧壁部５６を後方に押し込むと、操作部材５３の突起部５７がガイド壁部５４の傾斜面５４Ａ上を後方に向けて摺動し、第２フック５２の第２爪部５５Ａを上方に押し上げる。これにより、第２フック５２の第２爪部５５Ａと第１フック５１の第１爪部５４Ｂとの係合が解除される。そして、蓋体５を引き上げると、蓋体５がヒンジ部４の軸部４９回りに回動し、容器本体３が開放される。
その後、塗布具などを用いて内容物を適量取り、パフやブラシなどの塗布具を用いて被塗布部分に塗布する。使用後は、上述とは逆の手順で容器本体３に蓋体５を装着する。
【００２６】
続いて、皿体１１の交換方法について説明する。まず、上述と同様に、蓋体５を開状態として容器本体３を開放する。この状態で、容器本体３の底壁部２１に形成された第２貫通孔３１Ａ及び枠体１２の底壁部２１に形成された第１貫通孔２１Ａに例えばピンＰを貫通させる。ピンＰを貫通させると、図５に示すように、保持体２のうち皿体１１が枠体１２から離間する。このようにして、皿体１１が取り外される。そして、新たな化粧料などの内容物が充填されている皿体１１を枠体１２内に供給する。その後、上述のように、蓋体５を閉状態とする。
以上のようにして、皿体１１を交換する。
【００２７】
本実施形態におけるコンパクト容器１によれば、容器本体３に衝撃が加わっても、第１吸盤２３がこの衝撃を吸収し、保持体２と容器本体３との間の相対的な移動を抑制することによって、保持体２（皿体１１）に加わる衝撃を緩和できる。さらに、第１吸盤２３により枠体１２の底壁部２１の下面と容器本体３の底壁部３１の上面との間に隙間が形成されるので、衝撃が容器本体３から枠体１２に直接伝わることを抑制し、これによっても保持体２（皿体１１）に加わる衝撃を緩和できる。
また、軟質材料で形成された枠体１２のフランジ部２２Ａが容器本体３の周壁部３２に当接しているので、加えられた衝撃によって枠体１２が容器本体３内で前後左右方向に相対的に移動しても前後左右方向の力をフランジ部２２Ａが吸収できる。そのため、保持体２（皿体１１）に加わる衝撃を緩和できる。
【００２８】
次に、本発明におけるコンパクト容器の第２実施形態について説明する。なお、ここで説明する実施形態は、その基本的構成が上述した第１実施形態と同様であり、上述の第１実施形態に別の要素を付加したものである。したがって、図６から図８においては、図１から図５と同一の構成要素に同一符号を付し、その説明を省略する。
【００２９】
本実施形態におけるコンパクト容器１００の保持体１０１では、図６から図８に示すように、枠体１０２に、複数（本実施形態では２個）の第１吸盤１０３が突設されている。第１吸盤１０３は、枠体１０２の底壁部１０５の左右方向の中間部から前後方向に離間して突設されており、上面視で円形板状をなす接続片１０４によって接続されている。
また、容器本体１１０の底壁部１１１の中央部には、底壁部１１１を貫通する貫通孔１１１Ａが形成されている。貫通孔１１１Ａは、上面視において接続片１０４と重なる位置に形成されている。
【００３０】
以上のような構成のコンパクト容器１００においても、上述した実施形態と同様に、蓋体５を開状態とする。
また、皿体１１の交換方法については、上述と同様に、まず、蓋体５を開状態として容器本体１１０を開放する。この状態で、図６に示すように、容器本体１１０の底壁部１１１に形成された貫通孔１１１ＡにピンＰを貫通させる。ピンＰを貫通させると、ピンＰが２つの第１吸盤１０３を繋ぐ接続片１０４を上方に向けて押し上げるので、第１吸盤１０３が容器本体１１０の底壁部１１１から離間する。これにより、保持体１０１全体が容器本体１１０から取り外される。そして、上述のように、新たな化粧料などの内容物が充填されている皿体１１及び枠体１０２を有する新たな保持体１０１を容器本体１１０の収容凹部１１０Ａに供給する。その後、上述のように、蓋体５を閉状態とする。
【００３１】
本実施形態におけるコンパクト容器１００によっても、上述と同様の作用、効果を奏する。
【００３２】
次に、本発明におけるコンパクト容器の第３実施形態について説明する。なお、ここで説明する実施形態は、その基本的構成が上述した第１及び第２実施形態と同様であり、上述の第１及び第２実施形態に別の要素を付加したものである。したがって、図９から図１１においては、図１から図８と同一の構成要素に同一符号を付し、その説明を省略する。
【００３３】
本実施形態におけるコンパクト容器１５０の保持体１５１では、図９から図１１に示すように、枠体１５２に複数（本実施形態では５２個）の吸盤体１５３がインサート成形により一体化されている。枠体１５２は、例えばＡＢＳ樹脂などの硬質材料で形成されており、吸盤体１５３を取り付けるための複数の取付孔１５４Ａが形成された底壁部１５４と、周壁部１５５と、を有する。
吸盤体１５３は、例えばニトリルゴム、ブチルゴム、熱可塑性エラストマまたはウレタンのような枠体１５２よりも軟らかい軟質材料で形成されており、底壁部１５４から下方に突出する第１吸盤１６１と、底壁部１５４から上方に突出する第２吸盤１６２と、を有する。第１吸盤１６１は、容器本体３の底壁部３１の上面に吸着されており、第２吸盤１６２は、皿体１１の底壁部１３の下面に吸着されている。
【００３４】
以上のような構成のコンパクト容器１５０においても、上述した実施形態と同様に、蓋体５を開状態とする。
また、皿体１１の交換方法については、上述と同様に、まず、蓋体５を開状態として容器本体３を開放する。この状態で、容器本体３の底壁部３１に形成された第２貫通孔３１Ａにピン（図示略）を貫通させると、保持体１５１が容器本体３から取り外される。そして、上述のように、新たな化粧料などの内容物が充填されている皿体１１及び枠体１５２を有する新たな保持体１５１を容器本体３の収容凹部３Ａに供給する。その後、上述のように、蓋体５を閉状態とする。
【００３５】
本実施形態におけるコンパクト容器１５０によっても、上述と同様の作用、効果を奏するが、第２吸盤１６２が容器本体３から枠体１５２に伝わった衝撃を吸収すると共に、皿体１１と枠体１５２との間の相対的な移動を抑制するので、皿体１１に加わる衝撃をさらに緩和できる。
また、枠体１５２と吸盤体１５３とをインサート成形により一体化しており、枠体１５２と吸盤体１５３とを別材料で形成するができるので、枠体１５２の剛性を確保しつつ吸盤体１５３の第１及び第２吸盤１６１、１６２による吸着力を維持することができる。なお、枠体１５２と吸盤体１５３とは、インサート成形以外の他の方法により一体化されてもよい。
【００３６】
次に、本発明におけるコンパクト容器の第４実施形態について説明する。なお、ここで説明する実施形態は、その基本的構成が上述した第１から第３実施形態と同様であり、上述の第１から第３実施形態に別の要素を付加したものである。したがって、図１２から図１６においては、図１から図１１と同一の構成要素に同一符号を付し、その説明を省略する。
【００３７】
本実施形態におけるコンパクト容器２００の保持体２０１では、図１２から図１５に示すように、軟質材料で形成された枠体２０２と複数（本実施形態では６８個）の第１吸盤２０３及び複数（本実施形態では７２個）の第２吸盤２０４とが同一の軟質材料により一体的に成形されている。
枠体２０２は、底壁部２０５及び周壁部２０６を有する。第１吸盤２０３は、底壁部２０５の下面及び周壁部２０６の外面に突設されており、第２吸盤２０４は、底壁部２０５の上面及び周壁部２０６の内面に突設されている。
【００３８】
また、枠体２０２には、図１２及び図１３に示すように、操作体２０７が設けられている。操作体２０７は、枠体２０２の周壁部２０６の後壁部のうち左右方向の中間部に設けられており、容器本体２１０の周壁部２１１の後壁部２１２の上端を乗り越え、後壁部２１２のうちヒンジ凹部２１２Ａが形成されることによって薄肉化されている部分を前後方向で挟み込む。なお、容器本体２１０の底壁部２１３には、上述した実施形態のような貫通孔が形成されていない。
【００３９】
以上のような構成のコンパクト容器２００においても、上述した実施形態と同様に、蓋体５を開状態とする。
また、皿体１１の交換方法については、上述と同様に、まず、蓋体５を開状態として容器本体２１０を開放する。この状態で、図１６に示すように、操作体２０７を前方に向けて引き上げると、第１吸盤１６１と容器本体２１０の内面との間の吸着が解除され、保持体２０１が容器本体２１０から取り外される。そして、上述のように、新たな化粧料などの内容物が充填されている皿体１１及び枠体２０２を有する保持体２０１を容器本体２１０の収容凹部２１０Ａに供給する。その後、上述のように、蓋体５を閉状態とする。
【００４０】
本実施形態におけるコンパクト容器２００によっても、上述と同様の作用、効果を奏するが、枠体２０２の周壁部２０６にも第１及び第２吸盤２０３、２０４が配設されているので、容器本体２１０の周壁部２１１から枠体２０２の周壁部２０６に伝達する衝撃を吸収すると共に、容器本体２１０と枠体２０２との間の前後左右方向における相対的な移動を抑制するので、皿体１１に加わる衝撃をより効果的に緩和できる。
【００４１】
なお、本発明は上記実施形態に限定されるものではなく、本発明の趣旨を逸脱しない範囲において種々の変更を加えることができる。
例えば、保持体は、皿体と枠体とを別体としているが、第２吸盤を設けない構成では、皿体と枠体とを一体としてもよい。
保持体や容器本体の形状は、上面視で矩形状に限らず、他の形状であってもよい。
容器本体は、１つの保持体を収容する構成となっているが、複数の保持体を収容する構成であってもよい。ここで、容器本体には、例えばパフやブラシなどの塗布具を収容してもよい。同様に、枠体は、１つの皿体を収容する構成となっているが、複数の皿体を収容する構成であってもよい。
第１及び第２吸盤の形状や大きさ、数などは適宜変更してもよい。
内容物は、ファンデーションやアイシャドウ、アイライナなどの化粧料に限られない。
コンパクト容器は、係合部により容器本体に対する蓋体の閉状態を保持しているが、他の係合構造を用いて容器本体に対する蓋体の閉状態を保持してもよい。
皿体または保持体の交換方法は、ピンや操作体を用いた方法に限らず、直接皿体または保持体を取り外してもよく、枠体と皿体と共に容器本体から取り外した後に皿体を枠体から取り外すことによって皿体のみを交換するようにしてもよい。
蓋体は、ヒンジ部を介して容器本体に対して回動可能に連結されているが、ヒンジ部を介して容器本体に連結されていなくてもよく、他の構造であってもよい。
【産業上の利用可能性】
【００４２】
この発明によれば、コンパクト容器に加えられた衝撃が内容物に伝達しにくいコンパクト容器に関して、産業上の利用可能性が認められる。
【符号の説明】
【００４３】
１，１００，１５０，２００  コンパクト容器、２，１０１，１５１，２０１  保持体、３，１１０，２１０  容器本体、３Ａ，１１０Ａ，２１０Ａ  収容凹部、１１  皿体、１２，１０２，１５２，２０２  枠体、２３，１０３，１６１，２０３  第１吸盤、１５３  吸盤体、１６２，２０４  第２吸盤
【図１】
2015123270.tif 000003
【図２】
2015123270.tif 000004
【図３】
2015123270.tif 000005
【図４】
2015123270.tif 000006
【図５】
2015123270.tif 000007
【図６】
2015123270.tif 000008
【図７】
2015123270.tif 000009
【図８】
2015123270.tif 000010
【図９】
2015123270.tif 000011
【図１０】
2015123270.tif 000012
【図１１】
2015123270.tif 000013
【図１２】
2015123270.tif 000014
【図１３】
2015123270.tif 000015
【図１４】
2015123270.tif 000016
【図１５】
2015123270.tif 000017
【図１６】
2015123270.tif 000018